(57)【要約】【課題】着座姿勢が崩れないように着座させることで、長時間に亘り座っていても疲れたり腰痛が起きないようにした椅子の提供。【解決手段】座部を有する椅子本体１１を少なくとも備え、該椅子本体１１には、座部１５に着座した着座者の腹部の臍下位置と正対する外方位置に、着座者の下腹部側を支持して着座姿勢の崩れを阻止する腹当てパッド２２を配設した。また、座部１５の後部側に位置する両コーナー部１６，１６には、着座者の骨盤部位への側圧力の付与が自在な腰パッド５２を配設した。【選択図】図１
2008000240.tif 000002
【特許請求の範囲】
【請求項１】
座部を有する椅子本体を少なくとも備え、該椅子本体には、前記座部に着座した着座者の臍下の下腹部位置と正対する外方位置に、前記着座者の下腹部側を支持して着座姿勢の崩れを阻止する腹当てパッドを配設したことを特徴とする椅子。
【請求項２】
前記座部は、前記着座者の体重を自重として前記腹当てパッド側に自然に受け止めさせるべく、前傾させて配置した請求項１に記載の椅子。
【請求項３】
前記座部の後部側に位置する両コーナー部には、前記着座者の骨盤部位への側圧力の付与が自在な腰パッドをその位置調整を自在に配設した請求項１または２に記載の椅子。
【請求項４】
前記腹当てパッドには、前記着座者の着座退座の関係で任意のいずれかの方向への跳ね退けを自在とした位置移動機構を具備させた請求項１ないし３のいずれかに記載の椅子。
【請求項５】
前記腰パッドは、着座者の前記骨盤部位と当接する面領域に該骨盤形状に沿わせた前傾斜面部を有する請求項１ないし４のいずれかに記載の椅子。
【発明の詳細な説明】
【技術分野】
【０００１】
本発明は、着座姿勢が崩れないように着座者を着座させることで、長時間に亘り座っていても疲れたり腰痛が起きないようにした椅子に関する技術である。
【背景技術】
【０００２】
身体状況を改善するために供される整体器具としては、各種の構造を備えたものが従来より提供されてきている。このような整体器具のなかには、次の各特許文献に示されているように、人体の下に敷き込んで使用したり、椅子のように座って使用する構造を備えているものなどが既に提案されている。
【特許文献１】実用新案登録第３１０６８８９号公報
【特許文献２】特開２００５−１０３２１５号公報
【特許文献３】特開２００２−３６０３７６号公報
【特許文献４】特許第２９５８７５６号公報
【特許文献５】特開平１１−２９９５９１号公報
【特許文献６】特開２００２−０１２０６７号公報
【０００３】
このうち、特許文献１に開示されている「整体器具」は、人体に対して押圧力を作用させる整体球と、該整体球の一部を保持溝に部分収容してその位置決めを行う保持体とを備えており、人体の特定の部位に整体球を押し当てることにより、ずれた骨格を本来の位置に戻すことができるとされている。
【０００４】
また、特許文献２に開示されている「骨盤矯正チェアー」は、下方に向けて狭くなるように傾斜を与えて配設される左右一対の側板と、これらの側板相互間に配設された背板とを備え、該背板に背中を付けて側板相互に挟持されるように座ることで、骨盤の歪みを矯正することができるとされている。
【０００５】
また、特許文献３に開示されている「骨盤サポート椅子」は、人の骨盤部を左右から挟み包み込むための流体で膨らますことができるクッションを椅子に取り付けて形成され、該クッションを膨らませて骨盤部に密着させることで、骨盤部の広がりを抑え、腰周りの筋肉群の緊張による疲労を軽減し、腰痛や骨盤、脊髄等のズレも防ぐことができ、長時間椅子に時も正しい姿勢を無理なく維持できるとされている。
【０００６】
また、特許文献４に開示されている「人体支持装置」は、静座用椅子や乗物用腰掛や寝台用マットなどに適用されるものであり、体圧を広く立体的に多方面に分散する人体の支持部を備え、これにより局部圧力を減少して疲労を軽減できるほか、加圧時や振動時における圧力を緩やかに吸収して人体への衝撃を緩和したり、人体発汗を抑制することができるとされている。
【０００７】
また、特許文献５に開示されている「クッション材」は、常温で粘性が高い粘弾性を有し、かつ、所定温度以下で粘度が低下して流動性を有する熱可塑性材料が充填され、その表面側が被覆材で覆われて構成され、その体圧分散効果により例えば寝たきりのの病人の仙骨周辺部に生じやすい床ずれ等を防止したり、人が着座姿勢をとって長時間座っていても疲れにくくすることができるとされている。
【０００８】
また、特許文献６に開示されている「チャイルドシート」は、肩ベルトや腰ベルトを備えるほか、シート本体の頭部当接領域にゲル素材を含む衝撃力分散材料が配設されており、これにより自動車の追突事故時等の頭部へのダメージを緩和することができるとされている。
【発明の開示】
【発明が解決しようとする課題】
【０００９】
しかし、特許文献１〜３に開示されている従来技術は、そのいずれもが人体の左右方向でのずれを矯正しようとするものであり、例えば椎間板ヘルニアなどに起因する腰痛を緩和する上で有効とされている腰椎の前後方向でのずれを矯正する上からは、必ずしも好適な構造を備えるものではないという不都合があった。
【００１０】
また、特許文献４，５に開示されている従来技術は、そのいずれもが人体の背面側をクッション材側に沈み込ませるように支持するものであり、同様に例えば椎間板ヘルニアなどに起因する腰痛を緩和する上で有効とされている腰椎の前後方向でのずれを矯正する上からは、必ずしも好適な構造を備えるものではなかった。
【００１１】
さらに、特許文献６に開示されている従来技術は、ベルトを介して支持された腹当てを有する点で、人体の前後方向での動きを規制しようとするものではあっても、あくまでも自動車の追突事故時等の頭部へのダメージを緩和することを目的とするものであり、腰椎の前後方向でのずれを矯正することができるものではない。
【００１２】
本発明は、上記従来技術の課題に鑑み、着座者の背骨からかかる荷重を支える腰椎の前後方向でのずれを防止し、その着座姿勢が崩れないように着座させることで、長時間に亘り座っていても疲れたり腰痛が起きないようにした椅子を提供するとを目的とするものである。
【課題を解決するための手段】
【００１３】
本発明は、上記目的を達成すべくなされたもので、座部を有する椅子本体を少なくとも備え、該椅子本体には、前記座部に着座した着座者の臍下の下腹部位置と正対する外方位置に、前記着座者の下腹部側を支持して着座姿勢の崩れを阻止する腹当てパッドを配設したことを最も主要な特徴とする。
【００１４】
この場合、前記座部は、前記着座者の体重を自重として前記腹当てパッド側に自然に受け止めさせるべく、前傾させて配置するのが好ましい。また、前記腹当てパッドには、前記着座者の着座退座の関係で任意のいずれかの方向への跳ね退けを自在とした位置移動機構を具備させておくのが望ましい。
【００１５】
さらに、前記座部の後部側に位置する両コーナー部には、前記着座者の骨盤部位への側圧力の付与が自在な腰パッドをその位置調整を自在に配設しておくこともできる。この場合、前記腰パッドは、着座者の前記骨盤部位と当接する面領域に該骨盤形状に沿わせた前傾斜面部を設けておくのが望ましい。
【発明の効果】
【００１６】
請求項１に係る発明によれば、椅子本体は、着座した着座者の臍下の下腹部位置と正対する外方位置に、着座者の下腹部側を支持して着座姿勢の崩れを阻止する接離が自在な腹当てパッドを備えているので、該腹当てパッドを介して腰椎の前後方向でのずれを防止し、正しい着座姿勢のもとで長時間に亘り疲れたり腰痛を起こすことなく座り続けることができる。
【００１７】
請求項２に係る発明によれば、座部を前傾させて配置してあるので、着座時における着座者の体重を自重として腹当てパッド側に自然に受け止めさせることができ、腰椎の前後方向でのずれを防止できる。
【００１８】
請求項３に係る発明によれば、座部の後部側に位置する両コーナー部に着座者の骨盤部位への側圧力の付与が自在な腰パッドが配設されているので、骨盤を安定的に支持させて座り続けることができる。
【００１９】
請求項４に係る発明によれば、腹当てパッドは、着座者の着座退座の関係で任意のいずれかの方向に跳ね退けることができる位置移動機構を備えているので、着座者が着座する前に腹当てパッドを跳ね退けておき、着座後に元の位置に戻すことで、使い勝手よく使用することができ、かつ、着座者個人の下腹部（臍下部）より３０°斜め上方向の第４〜第５腰椎およびそれに接する仙椎に向かう最適な方向に腹当てパッドをセットすることができる。
【００２０】
請求項５に係る発明によれば、腰パッドは、着座者の骨盤部位と当接する面領域に該骨盤形状に沿わせた前傾斜面部を有しているので、それぞれの前傾斜面部に対応する骨盤部位をより安定的に当接支持させることができる。
【発明を実施するための最良の形態】
【００２１】
図１は、本発明の一例を示す平面図であり、図２は、図１の例についての側面図を、図３は、図１の例についての全体斜視図をそれぞれ示す。
【００２２】
これらの図によれば、椅子本体１１は、直立させた支柱部１２の下端側に連結されたキャスター１４付きの例えば５本の支脚アーム部１３と、支柱部１２の上端側に連結支持された座部１５と、該座部１５側に連結されてその後部側から直上させた背側支柱部１８を介して取り付けられた背もたれ部１７とを備えて形成されている。
【００２３】
この場合、座部１５は、図２に示されているように座面１５ａがやや前傾する配置関係のもとで支柱部１２側に取り付けられており、これにより着座者１０１が着座した際に尾てい骨から上に位置する下から仙椎および第５腰椎骨〜第４腰椎骨１０４と臍下の下腹部１０２の位置と腹当てパッド２２との位置とが、図４に破線として示す斜め約３０°の傾斜ラインｌ上に位置させる着座姿勢にすることができることになる。その結果、背骨の荷重を受ける湾曲した腰椎を前面から支えることができ、腰痛の発生を軽減することができる。
【００２４】
また、上記構成からなる椅子本体１１は、座部１５の座面１５ａ上に図４に示すようにして着座した着座者１０１の臍下の下腹部１０２位置と正対する外方位置にて、任意のいずれかの方向への跳ね退け、図示例では着座者１０１の右手方向への跳ね退けを自在とした位置移動機構２３を介して連結された進退腕部４４に取り付けられた腹当てパッド２２を備えている。
【００２５】
この場合、位置移動機構２３は、座部１５側に連結されてその右側方向から直上させた肘かけ台２５付きの連結杆部２４と、該連結杆部２４を介して配設された断面略円形を呈する水平腕部２６と、該水平腕部２６に対しその直交方向での回動を自在に連結された回動腕部３４とで構成されている。
【００２６】
これを図示例に基づきより詳しく説明すれば、水平腕部２６は、連結杆部２４とは直交する位置関係にある前方向に先端部２６ｂ側を位置させ、かつ、基端部２６ａ側に設けた通孔２７を介して連結杆部２４側にネジ等の止着材２８を止着して連結することで配置されている。
【００２７】
この場合、連結杆部２４には、その上下方向での複数箇所に位置調整用孔２４ａが設けられており、これらの位置調整用孔３４ａを介して止着材２８を止着することで水平腕部２６の上下方向での連結位置を調整することができるようになっている。
【００２８】
回動腕部３４は、水平腕部２６に対し先端部３４ｂ側が前上がりとなる傾斜を付与した配置関係のもとで、その基端部３４ａ側を介して水平腕部２６に連結されている。この場合、回動腕部３４の基端部３４ａは、水平腕部２６の先端部２６ｂが挿入できる円筒状に形成されている。また、回動腕部３４は、水平腕部２６に対し適宜の回動連結構造のもとで連結されることになる。その際の回動連結構造としては、回動腕部３４の基端部３４ａと水平腕部２６の先端部２６ｂとの間にコイルスプリングを介在させて、所定位置にある回動腕部３４を外力を与えて強制的に跳ね退けて着座した後、その外力を解除することで元の位置に自動的に復帰させるようにして形成したものを好適に採用することができる。なお、回動連結構造は、上記以外にも、例えば図２に示すように水平腕部２６の先端部２６ｂ側の長さ方向に所定間隔をおいて位置調整溝３５を刻入しておき、円筒状を呈する回動腕部３４の基端部３４ａがその内周面に備える突出方向に付勢された図示しない球体を位置調整溝３５に回動自在に嵌合させたり、回動腕部３４側を適宜位置にて水平腕部２６側にネジ止めするなど、適宜の位置固定構造を付与して形成することもできる。
【００２９】
一方、進退腕部４４は、回動腕部３４とは直交する位置関係にある奥行き方向（着座者１０１の下腹部１０２側）にその先端部４４ｂ側を位置させ、かつ、基端部４４ａ側を回動腕部３４の先端部３４ｂ側と連結する位置関係のもとで配置されている。
【００３０】
この場合、進退腕部４４は、回動腕部３４の先端部３４ｂが挿入されてその長さ方向への位置移動を自在に連結される固定腕部４５と、該固定腕部４５に前後方向への移動を自在に連結される進退支腕部４６とで構成されている。また、固定腕部４５は、回動腕部３４の先端部３４ｂが挿入される挿通孔４５ａを備えており、該挿通孔４５ａに沿わせて進退腕部４４側を位置移動させることができるようになっている。なお、回動腕部３４側に対する進退腕部４４側の位置固定は、図示しない固定用ネジを緊締したり緩めたりすることで行うことができる。また、固定腕部４５に対する進退支腕部４６の位置固定は、固定腕部４５内に挿入した進退支腕部４６の対応部位をネジ等の止着材４７で固定したり、相互を螺合連結することで行うことができる。
【００３１】
また、進退腕部４４の先端４４ｂ側に取り付けられる腹当てパッド２２は、図４に示すように着座者１０１の下腹部１０２側を面的に支持し得る適宜の面形状を付与して形成されている。この場合、腹当てパッド２２は、例えば着座者１０１の下腹部１０２の面形状に沿うようにやや内向きに湾曲させた曲面２２ａを付与して形成することができる。または、単に膨らみのある枕状パッドが下腹部１０２の当接により潰れた結果の面であってもよい。また、腹当てパッド２２は、硬質材でも、あるいは、その内部に軟質である程度のクッション性のある適宜の弾性素材やゲル状弾性材を封入したものでもよい。
【００３２】
一方、腰パッド５２は、着座者１０１の各骨盤部位１０３に側圧力を付与すべく、座部１５の後部側に位置する両コーナー部１６，１６に配設されている。
【００３３】
すなわち、各腰パッド５２は、背側支柱部１８側に連結させた固定部５５を介してその直交方向である横方向に位置固定される支杆部５６の一端部５６ａと他端部５６ｂとに、例えば適宜の摺動構造を付与するなどしてその位置の調整を自在にして各別に取り付けられている。
【００３４】
この場合、各腰パッド５２は、図５に示すように着座者１０１の骨盤部位１０３と当接する面領域のそれぞれに該骨盤部位１０３形状に沿うように凹曲させた前傾斜面部５３が形成されており、これらの前傾斜面部５３を着座者１０１の骨盤部位１０３に当接配置することで、それぞれの当接部位に対し側圧力を付与することができることになる。
【００３５】
しかも、各腰パッド５２は、着座者１０１の骨盤部位１０３と当接する面領域である各前傾斜面部５３が位置する内部に図示しないゲル状弾性材が封入されており、該ゲル状弾性材が生成する弾性力により骨盤部位１０３を安定的に支持することができるようになっている。
【００３６】
次に、本発明の作用・効果を図示例に基づいて説明すれば、腹当てパッド２２は、連結杆部２４を介して配設された水平腕部２６に対し回動腕部３４を回動自在に連結してなる位置移動機構２３を介することで、着座者１０１が着座する前に跳ね退けておき、着座後に元の位置に戻すことができるので、使い勝手よく使用することができる。
【００３７】
また、着座者１０１の下腹部１０２側に対し腹当てパッド２２を正対させるためには、回動腕部３４の先端部３４ｂに対し固定腕部４５側を図示しない位置固定用ネジを緩めて横移動させるなどの調節を行い、着座者１０１個人の下腹部１０２から第４〜第５腰椎に向かう最適な方向に腹当てパッド２２をセットし、背骨の荷重を受ける湾曲した腰椎を前面から支えることができる着座姿勢であって、第４腰椎骨１０４〜第５腰椎骨および仙椎と下腹部１０２の位置と腹当てパッド２２との位置を図４に破線として示す傾斜ラインｌ上に位置させる着座姿勢とするための最適位置を定められるように、これらの位置固定用ネジを緊締することで容易に行うことができる。
【００３８】
このようにして着座者１０１の下腹部１０２側に対し腹当てパッド２２を正対させた後は、固定腕部４５に対し進退支腕部４６を進退させることで、着座者１０１の下腹部１０２側に緩やかに当接させてこれを支持することができることになる。このとき、座部１５を前傾させてある場合には、図４に示すようにより自然な感じで着座者１０１の体重を自重として腹当てパッド２２側に受け止めさせることができる。
【００３９】
一方、水平腕部２６の位置は、連結杆部２４が備える複数の位置調整用孔２４ａに対する基端部２６ａ側の連結位置を調整することで、その高さ調整を行うことができるので、座高を異にする着座者１０１に対し腹当てパッド２２の位置を調整することができる。なお、連結杆部２４、肘かけ部２５、水平腕部２６、回転腕部３４、進退腕部４４など各個別でなく、一体や連動した構成とすることも可能である。
【００４０】
このようにして腹当てパッド２２の位置を定めた後は、着座者１０１が着座した際に腹当てパッド２２の曲面２２を介して下腹部１０２側が面的に支持される結果、疲れたり腰痛を起こすことなく長時間に亘り座り続けることができる。
【００４１】
また、腹当てパッド２２は、着座者１０１の着座退座の関係で任意のいずれかの方向に跳ね退けることができる位置移動機構２３を介して配設されているので、着座者１０１が着座する前には腹当てパッド２２を跳ね退けておき、着座後に元の位置に戻すことで、使い勝手よく使用することができ、かつ、着座者１０１個人の下腹部１０２から第４，第５腰椎および仙椎に向かう最適な方向に腹当てパッド２２をセットすることができることになる。つまり、下腹部１０２に対しては、腰椎の曲がりに対し直角方向から当たるような傾きのもとで腹当てパッド２２を当接させることができる結果、背骨の荷重を受ける湾曲した腰椎を前面側から支えることができ、腰痛の発生を軽減することができる。
【００４２】
しかも、椅子本体１１は、座部１５の後部側に位置する両コーナー部１６，１６に、着座者１０１の骨盤部位１０３に側圧力を付与することができる腰パッド５２を各別に備えている。
【００４３】
このため、着座者１０１は、支杆部５６の一端部５６ａと他端部５６ｂとに取り付けられている各腰パッド５２が上半身の重みを仙骨の両端の仙腸関節面部と腸骨部がしっかりとサポートされるように臀部から圧力がかかるように位置を調節し、座部１５の座面１５ａ上に着座することで、それぞれの前傾斜面部５３に対応する骨盤部位１０３を当接支持させることができる。
【００４４】
しかも、着座者１０１の骨盤部位１０３と当接する面領域である各前傾斜面部５３に着座者１０３の骨盤部位１０３の形状に沿わせた曲面が形成されている場合には、それぞれの前傾斜面部５３に対応する骨盤部位１０３を図５に示すように、より安定的に当接支持させることができる。よって、腹当てパッド２２と腰パッド５２とともに椎間関節の疲労を軽減することができる。特に、各腰パッド５２内に図示しないゲル状弾性材が封入されている場合には、該ゲル状弾性材が生成する弾性力を伴った好適な側圧力により骨盤部位１０３を安定的に支持させて、より正しい着座姿勢のもとで長時間に亘り座り続けることができることになる。
【００４５】
以上は、本発明を図示例に基づいて説明したものであり、その具体的構成はこれに限定されるものではない。例えば、椅子本体１１は、支柱部１２に連結させた支脚部１３を備える事務用椅子を例として示しているが、座部１５を有しているものでさえあれば、座椅子のようなものであってもよい。また、腹当てパッド２２は、着座者１０１の下腹部１０２側に正対させて支持できるものであえあれば、例えば座部１５側や支柱部１２側に直結させたバンドを介して取り付けることもできる。
【００４６】
さらに、椅子本体１１は、腰パッド５２を備えない腹当てパッド２２のみを配設したものであってもよい。また、腰パッド５２は、骨盤部位１０３に面的に当接できるものでさえあれば、その立体形状や面サイズも適宜選択して採用することができる。さらにまた、腰パッド５２内には、ゲル状弾性材以外の適宜の弾性材を内蔵させておくこともできる。
【図面の簡単な説明】
【００４７】
【図１】本発明の一例を示す平面図。
【図２】図１に示す例についての側面図。
【図３】図１に示す例についての全体斜視図。
【図４】着座時における着座者の下腹部と腹当てパッドとの位置関係を示す説明図。
【図５】着座時における着座者の骨盤部位と腰パッドとの位置関係を示す説明図。
【符号の説明】
【００４８】
１１  椅子本体
１２  支柱部
１３  支脚部
１４  キャスター
１５  座部
１５ａ  座面
１６  コーナー部
１７  背もたれ部
１８  背側支柱部
２２  腹当てパッド
２２ａ  曲面
２３  位置移動機構
２４  連結杆部
２４ａ  位置調整用孔
２５  肘かけ部
２６  水平腕部
２６ａ  基端部
２６ｂ  先端部
２７  通孔
２８  止着材
３４  回動腕部
３４ａ  基端部
３４ｂ  先端部
３５  位置調整溝
４４  進退腕部
４４ａ  基端部
４４ｂ  先端部
４５  固定腕部
４５ａ  挿通孔
４６  進退支腕部
４７  止着材
５２  腰パッド
５３  前傾斜面部
５５  固定部
５６  支杆部
５６ａ  一端部
５６ｂ  他端部
１０１  着座者
１０２  下腹部
１０３  骨盤部位
１０４  腰椎骨
ｌ  腰椎と下腹部の腹当てパッドとを結ぶ傾斜ライン
【図１】
2008000240.tif 000003
【図２】
2008000240.tif 000004
【図３】
2008000240.tif 000005
【図４】
2008000240.tif 000006
【図５】
2008000240.tif 000007